(57)【要約】  個人用電子デバイスのためのマウント組立体は、第１および第２の別のマウントを含み、各マウントが、後方壁マウント表面および前側表面を有する略平面の背面を有する。平面の前面が、背面に平行に延在する。側面が背面と前面との間に延在する。底面が背面と前面との間に延在する。底面は、上側表面および下側表面を有する。第１および第２のマウントのそれぞれの背面、前面、側面、および底面は、各側面から離れて配設される開口を有するレシーバを形成し、そのため、第１のマウントおよび第２のマウントが壁に取り付けられているとき、第１のマウントレシーバ内の開口が第２のマウントレシーバ内の開口の近傍にある。
2015507249.tif 000002
【特許請求の範囲】
【請求項１】
第１のマウントおよび第２のマウントを備え、前記第１および第２のマウントのそれぞれが、
後方壁マウント表面、および
前側表面
を有する略平面の背面と、
前記背面に略平行に延在する、略平面の前面と、
前記背面と前記前面との間に延在する側面と、
前記背面と前記前面との間に延在する底面であって、
上側表面、および
下側表面
を有する底面と
を有し、
前記背面、前記前面、前記側面、および前記底面が、前記側面から離れて配設される開口を有するレシーバを形成し、
前記第１および第２のマウントのそれぞれの前記背面、前記前面、前記側面、および前記底面が、各側面から離れて配設される開口を有するレシーバを形成し、そのため、前記第１のマウントおよび前記第２のマウントが壁に取り付けられているとき、前記第１のマウントレシーバ内の前記開口が前記第２のマウントレシーバ内の前記開口の近傍にある、個人用電子デバイスのためのマウント組立体。
【請求項２】
前記第１のマウントが、前記背面から延在する第１のコード保持クリップをさらに備える、請求項１に記載のマウント組立体。
【請求項３】
前記第２のマウントが、前記背面から延在する第２のコード保持クリップをさらに備え、前記第２のコード保持クリップが前記第１のコード保持クリップと異なるサイズである、請求項２に記載のマウント組立体。
【請求項４】
前記第１のコード保持クリップが、接着性ストリップ上のプルタブを受け入れるように適合されるレシーバをさらに備える、請求項２に記載のマウント組立体。
【請求項５】
前記第１のマウントが、前記背面の前記前側表面から外に延在する保持腕をさらに備える、請求項１に記載のマウント組立体。
【請求項６】
各背面が、前記前側表面から延在するスタブ部をさらに備え、前記スタブ部および各背面の部分が、垂直スロットを規定する、請求項１に記載のマウント組立体。
【請求項７】
各スタブ部が、個人用電子デバイスの後部に係合するように適合される、請求項３に記載のマウント組立体。
【請求項８】
各底面が、
各前面から延在し、各前面に略垂直な第１の部分と、
各背面から延在し、各背面に略斜めである第２の部分と
を備える、請求項１に記載のマウント組立体。
【請求項９】
各第２の部分が、略湾曲したデバイス係合表面を有する、請求項８に記載のマウント組立体。
【請求項１０】
各側面が各側面を通って延在する少なくとも１つの開口を有し、電子ケーブル接続が各開口を通って延在することを可能にするように各開口がサイズ決定される、請求項１に記載のマウント組立体。
【請求項１１】
各背面の前記後方壁マウント表面に取外し可能に装着される接着性ストリップをさらに備える、請求項１に記載のマウント組立体。
【請求項１２】
各側面が、前記それぞれの背面を超えて延在する隆起部を備える、請求項１に記載のマウント組立体。
【請求項１３】
第１のマウント、および前記第１のマウントとは別の第２のマウントを備え、前記第１のマウントおよび第２のマウントのそれぞれが
後部と、
前部と、
前記後部を前記前部に接続する底部と、
前記後部、前記底部、および前記前部を互いに接続し、平面内に延在する側部と、
前記後部から延在する、剥離可能な接着性のプルタブ固定スロットと
を備え、
前記後部から下方に延在し、第１のサイズを有する第１のコードクリップを前記第１のマウントがさらに備え、前記後部から下方に延在し、前記第１のサイズとは異なる第２のサイズを有する第２のコードクリップを前記第２のマウントがさらに備える、携帯型電子デバイスのためのマウント組立体。
【請求項１４】
各コードクリップが弓形フィンガを備える、請求項１３に記載のマウント組立体。
【請求項１５】
各後部に剥離可能に取り付けられる剥離可能接着剤をさらに備える、請求項１３に記載のマウント組立体。
【請求項１６】
前記第１のマウントおよび前記第２のマウントのそれぞれが、剥離可能な接着性のプルタブを保持するように適合されるスロットをさらに備える、請求項１３に記載のマウント組立体。
【請求項１７】
各スロットが各後部に形成される、請求項１６に記載のマウント組立体。
【請求項１８】
各スロットが、各後部から略水平に外に延在する、請求項１６に記載のマウント組立体。
【請求項１９】
各側部が、前記それぞれの後部を超えて延在する隆起部を備える、請求項１３に記載のマウント組立体。
【請求項２０】
前記第１のマウントの前記後部から外に延在する腕をさらに備える、請求項１３に記載のマウント組立体。
【発明の詳細な説明】
【技術分野】
【０００１】
［関連出願の相互参照］
本発明は、２０１１年１２月９日に出願され、その全体が参照により本明細書に組み込まれる、米国特許出願第１３／３１６，３８０号からの優先権を主張する。
【０００２】
［発明の分野］
本発明は、個人用電子デバイスを支持するために使用される壁取付け可能デバイスに関する。
【背景技術】
【０００３】
個人用電子デバイスは、我々を楽しませるため、および我々に通知するために、日常生活で使用されている。しかし、これらの電子デバイスは、比較的壊れやすく、落下した場合に、破損する、またはさもなければ損傷することがしばしばある。したがって、電子デバイスが落下したり、テーブルから落ちたりしないようにユーザが自分の個人用電子デバイスを壁に取り付けることができ、しかも、電子デバイスを見ることができ、ユーザが容易にアクセスすることができ、電子デバイスの取付システムから容易に取り外すことができるような取付システムが提供されれば、有益であろう。また、取付システムが、壁に穴を開けず、またはさもなければ壁に印を付けることなく、壁で容易に調整可能であり、かつ／または壁から取外し可能であれば、有益であろう。
【発明の概要】
【０００４】
手短に言えば、本発明は、個人用電子デバイスのためのマウント組立体を提供する。組立体は、第１および第２の別のマウントを含み、各マウントが、後方壁マウント表面および前側表面を有する略平面の背面を有する。平面の前面が、背面に平行に延在する。側面が背面と前面との間に延在する。底面が背面と前面との間に延在する。底面は、上側表面および下側表面を有する。第１および第２のマウントのそれぞれの背面、前面、側面、および底面は、各側面から離れて配設される開口を有するレシーバを形成し、そのため、第１のマウントおよび第２のマウントが壁に取り付けられているとき、第１のマウントレシーバ内の開口が第２のマウントレシーバ内の開口の近傍にある。
【０００５】
加えて、本発明は、第１のマウントと、第１のマウントとは別の第２のマウントとを備える、携帯型電子デバイスのためのマウント組立体を提供する。第１および第２のマウントのそれぞれは、後部、前部、後部を前部に接続する底部、ならびに後部、底部、および前部を互いに接続する側部を有し、側部が平面内に延在する。剥離可能な接着性のプルタブ固定スロットが、後部から延在する。第１のコードクリップが、第１のマウントの後部から下方に延在しており、第１のサイズを有する。第２のコードクリップが、後部から下方に延在しており、第１のサイズとは異なる第２のサイズを有する。
【０００６】
本明細書に組み込まれ、本明細書の部分を構成する、添付図面は、本発明の現在好ましい実施形態を図示し、上に示した一般的な記載および下に示される詳細な記載と一緒に、本発明の特徴を説明する働きをする。
【図面の簡単な説明】
【０００７】
【図１】本発明の第１の例示的な実施形態にしたがう、左取付ブラケットの正面図である。
【図２】図１の取付ブラケットの左側面図である。
【図３】図１の取付ブラケットの右側面図である。
【図４】図１の取付ブラケットの斜視図である。
【図５】図１の取付ブラケットの背面図である。
【図６】図１の取付ブラケットの平面図である。
【図７】図１の取付ブラケットの底面図である。
【図８】本発明の第１の例示的な実施形態にしたがう、右取付ブラケットの正面図である。
【図９】図８の取付ブラケットの左側面図である。
【図１０】図８の取付ブラケットの右側面図である。
【図１１】図８の取付ブラケットの斜視図である。
【図１２】図８の取付ブラケットの背面図である。
【図１３】図８の取付ブラケットの平面図である。
【図１４】図８の取付ブラケットの底面図である。
【図１５】個人用電子デバイスを壁に横長位置で支持する、図１〜図７の左取付ブラケットおよび図８〜図１４の右取付ブラケットの正面図である。
【図１５Ａ】図１５の取付ブラケットおよび個人用電子デバイスの左側面図である。
【図１５Ｂ】個人用電子デバイスを壁に縦長位置で支持する、図１〜図７の左取付ブラケットおよび図８〜図１４の右取付ブラケットの正面図である。
【図１６】本発明の第２の例示的な実施形態にしたがう、左取付ブラケットの左前斜視図である。
【図１７】図１６の取付ブラケットの右前斜視図である。
【図１８】図１６の取付ブラケットの右側面図である。
【図１９】図１６の取付ブラケットの右後斜視図である。
【図２０】本発明の第２の例示的な実施形態にしたがう、右取付ブラケットの左前斜視図である。
【図２１】図２０の取付ブラケットの右前斜視図である。
【図２２】図２０の取付ブラケットの右側面図である。
【図２３】図２０の取付ブラケットの右後斜視図である。
【図２４】個人用電子デバイスを壁に支持する、図１６〜図１９の左取付ブラケットおよび図２０〜図２３の右取付ブラケットの正面図である。
【発明を実施するための形態】
【０００８】
図面では、図面にわたって同様の番号は、同様の要素を表す。しかし、番号は、本発明のデバイスの部分を形成しない。特定の用語は、本明細書で、利便性のためにだけ使用されており、本発明を限定するものとして取られるべきではない。用語「ｂａｃｋ（背）」および「ｒｅａｒ（後）」は、本発明のデバイスが壁に取り付けられるときに、壁により近い位置のことを言い、用語「ｆｒｏｎｔ（前）」および「ｆｏｒｗａｒｄ（前側）」は、本発明のデバイスが壁に取り付けられるときに、壁からより遠い位置のことを言う。用語「ｂｏｔｔｏｍ（底）」および「ｌｏｗｅｒ（下）」は、本発明のデバイスが壁に取り付けられるときに、床により近い位置のことを言い、用語「ｔｏｐ（頂）」および「ｕｐｐｅｒ（上）」は、本発明のデバイスが壁に取り付けられるときに、床からより遠い位置のことを言う。用語「ｏｕｔｗａｒｄ（外）」は、本発明のデバイスが壁に取り付けられるときに、壁から離れる方向のことを言い、用語「ｕｐｗａｒｄ（上向き）」は、本発明のデバイスが壁に取り付けられるときに、床から離れる方向のことを言い、用語「ｄｏｗｎｗａｒｄ（下方）」は、本発明のデバイスが壁に取り付けられるときに、床に向かう方向のことを言う。用語法としては、具体的に言及される単語、それらの派生語、同様の趣旨を持つ単語が挙げられる。下で示される実施形態は、網羅的であること、または本発明をまさに開示される形態に制限することを意図していない。これらの実施形態は、本発明の原理およびその応用ならびに実際的な使用法を最も良好に説明し、当業者が本発明を最も良好に利用することを可能にするために、選択され、記載される。
【０００９】
本発明にしたがうマウント組立体は、取外し可能に壁に取り付けられ、個人用電子デバイスを支持し表示するために使用することができる。本発明を用いて使用することができる例示的な個人用電子デバイスとしては、限定するものではないが、ｉＰａｄ、ｉＰｏｄ、ｉＰｈｏｎｅ、ｉＴｏｕｃｈ、Ａｎｄｒｏｉｄ、Ｍｏｔｏｒｏｌａ  Ｘｏｏｍ、Ｓａｍｓｕｎｇ  Ｇａｌａｘｙ  Ｔａｂ、ＢｌａｃｋＢｅｒｒｙ  Ｐｌａｙｂｏｏｋ、ならびに他の一般的なフラットスクリーン携帯および／または個人用電子デバイスが挙げられる。
【００１０】
本発明のマウント組立体は、本発明のマウント組立体を壁に容易に取り付け、本発明のマウント組立体を壁に印を付けたり、さもなければ壁を損傷させたりすることなく取り外すために、例えば、３Ｍ  Ｃｏｍｍａｎｄ（登録商標）ストリップなどの取外し可能な接着性ストリップを利用する。本発明のマウント組立体は、電子デバイスを支持するのに重力を使用するが、当業者なら、本発明のマウント組立体は、電子デバイスを安定させるために、わずかに把持する特徴を設けるようにサイズ決定することも可能であることを認識するであろう。
【００１１】
図１〜図１５の全てを参照すると、本発明の第１の例示的な実施形態にしたがうマウント組立体１００が示される。特に図１５を参照すると、マウント組立体１００は、マウント組立体１００が壁６０に取り付けられるときに、電子デバイス５０の第１の下隅部５２をレシーバ１１１内に支持するために使用される第１のマウント１１０、および電子デバイス５０の第２の下隅部５４をレシーバ２１１内に支持するために使用される第２のマウント２１０を含む。
【００１２】
多くの態様で、第１のマウント１１０および第２のマウント２１０は、マウント組立体１００が壁６０に取り付けられたとき、壁６０に垂直な平面６２に関して互いに鏡像である。したがって、説明を簡単にするために、第２のマウント２１０の要素の鏡像である第１のマウント１１０の要素は、「１」で始まる３桁の数字で識別され、一方、第２のマウント２１０の要素は、「２」で始まる３桁の数字で識別され、それぞれの対応する要素の下２桁は同一である。例えば、第１のマウント１１０内の要素１１２は、第２のマウント２１０内の要素２１２の鏡像である。
【００１３】
図１〜図７を参照すると、第１のマウント１１０は、後方壁マウント表面１１４および前側表面１１６を有する略平面の細長い背面１１２を含む。背面１１２は、例えば３Ｍ  Ｃｏｍｍａｎｄ（登録商標）ストリップなどの取外し可能な接着性ストリップ７０が壁マウント表面１１４に取外し可能に装着されることを可能にするようにサイズ決定され、そのため、マウント組立体１００が壁６０に取り付けられ、電子デバイス５０がマウント組立体１００内に取り付けられるとき、取外し可能な接着性ストリップ７０は見えない。
【００１４】
特に図２および図３を参照すると、第１のコード保持クリップ１２０が背面１１２から延在する。第１のコード保持クリップ１２０は、略背面１１２の幅で延在する、略弓形フィンガ様に形状を定められ、電子デバイス５０にＡＣ電力を提供するための電源コード５１（図１５に示される）が、開口１２２内に受け入れられ、第１のコード保持クリップ１２０が保持できるようにサイズ決定される第１の開口１２２を含む。図１５および図１５Ｂに示されるように、電子デバイス５０は、ユーザがどのように電子デバイス５０を壁６０に取り付けたいのかに応じて、縦長の視野または横長の視野で取り付けることが可能である。
【００１５】
特に図９および図１０を参照して、例示的な実施形態では、第２のマウント２１０は、背面２１２から延在する第２のコード保持クリップ２２４を含む。第２のコード保持クリップ２２４は、略背面２１２の幅で延在し、電子デバイス５０にＡＣ電力を提供するための電源コード（図示せず）が、開口２２６内に受け入れられ、第２のコード保持クリップ２２４が保持できるようにサイズ決定される第２の開口２２６を含む。第２のコード保持クリップ２２４は、第１のコード保持クリップ１２０または２０への第２のコード保持クリップのいずれかが、異なる直径の電源コードを収容できるように、あるいは、電源コードをより堅く締めて合わせること、またはより緩く合わせることのいずれによって電源コードを保持することをユーザが望むのか、ユーザの好みに応じて、第１のコード保持クリップ１２０と異なるサイズにすることができる。あるいは、第２のマウント２１０の全てが、平面６２に関して第１のマウント１１０の鏡像になるように、第２のコード保持クリップ２２４を第１のコード保持クリップ１２０と同一にすることも可能である。
【００１６】
第１のコード保持クリップ１２０および第２のコード保持クリップ２２４の両方は凹んでおり、そのため、図１５および図１５Ｂに示されるように、前からマウント用組立体１００を見ると、第１のコード保持クリップ１２０および第２のコード保持クリップ２２４は視野から隠される。
【００１７】
図３に戻って参照すると、背面１１２は、前側表面１１６から延在するスタブ部１３０をさらに備え、そのため、スタブ部１３０および背面１１２の上部１３２が、垂直スロット１３４を規定する。垂直スロット１３４は、取外し可能な接着性ストリップ７０上のプルタブ７２が、垂直スロット１３４内に挿入されることを可能にするようにサイズ決定され、そのため、図１５および図１５Ｂに示されるように、マウント組立体１００および電子デバイス５０を見るときに、プルタブ７２は、見ることができない。
【００１８】
図３および図４に示されるように、スタブ部１３０は、背面１１２から外に延在し、そのため、電子デバイス５０が第１のマウント１１０内に挿入されるとき、スタブ部１３０が電子デバイス５０の後部に係合するように適合される。スタブ部１３０は、図１５Ａに矢印「Ａ」により示されるように、壁６０から電子デバイス５０を離間もさせ、このことによって、ユーザは、片手だけで電子デバイス５０の頂部をより容易につかむことができ、矢印Ａにより規定される空間に指をはめることができ、ユーザは電子デバイス５０を把持することができるようになる。加えて、空間によって、電子デバイス５０が一定の保護カバーとドッキングするが少なくとも部分的に装着されることを可能にし、特に、例えば、ｉＰａｄ２スマートカバー５８は、ｉＰａｄの後でラッピングし、次いで半分に折り畳むことができるのだが、カバー５８を電子デバイス５０と壁６０との間の矢印「Ａ」により規定される空間内に合うことを可能にする。
【００１９】
図１〜図４に戻って参照すると、第１のマウント１１０は、背面１１２に略平行に延在する、略平面の前面１４０をさらに含む。前面１４０は、電子デバイス５０を保持し、電子デバイス５０がマウント組立体１００から前方に落ちるのを防止する。前面１４０は、背面１１２から十分な距離離間され、異なるサイズおよび厚さの電子デバイスを第１のマウント１１０内に挿入することを可能にするが、電子デバイス５０が第１のマウント１１０に取り付けられたときに、電子デバイス５０が「動き回る（ｆｌｏｐｐｉｎｇ  ａｒｏｕｎｄ）」ことを防止するため、背面１１２に十分近い。
【００２０】
図１に示されるように、前面１４０は、略薄く、真っ直ぐで垂直な中央部１４４に接続される、なだらかに湾曲した上部１４２を有し、前面１４０は次いで、なだらかに湾曲した下部１４６に接続される。前面１４０の形状および輪郭によって、前面１４０により覆い隠される電子デバイス５０のスクリーンの量を最小化する一方で、前面１４２が電子デバイス５０を固定することを可能にする。
【００２１】
図２〜図４を参照して、側面１４８は、背面１１２と前面１４０との間に延在する。側面１４８は、図１５Ａに示されるように、背面１１２を超えて延在する延長隆起部１４９を含み、このことにより、左側から取付ブラケット１１０を見るとき取外し可能な接着性ストリップ７０を視野から隠し、取付ブラケット１１０を壁６０と同一平面にもする。
【００２２】
側面１４８は、そこを通って延在する、少なくとも１つの開口１５０を有する。開口１５０は、電子デバイスがマウント用組立体１００に取り付けられるとき、例えば電源コード（図示せず）などの電子ケーブル接続が、開口１５０を通って延在し、電子デバイス５０に接続することを可能にするようにサイズ決定される。
【００２３】
開口１５０に加えて、追加の開口１５２〜１５６を、面１４８内に形成することができる。開口１５２〜１５６は、通風目的、美観、および／またはマウント１１０を製造するのに使用される材料の量を減らすために設けることができる。
【００２４】
図３を参照すると、底面１６０が、背面１１２と前面１４０との間に延在する。底面１６０は、電子デバイス５０がマウント１１０内に挿入されると、電子デバイス５０と係合して支持する。底面１６０は、上側表面１６２および下側表面１６４を含む。底面は、前面１４０から延在し、前面１４０に略垂直な第１の部分１６６、および背面１１２から延在し、背面１１２に略斜めである第２の部分１６８をさらに含む。第２の部分１６８は、なだらかに湾曲したデバイス係合表面１６９を有し、電子デバイス５０がマウント１１０内に挿入されると、電子デバイス５０と係合する。
【００２５】
背面１１２、前面１４０、側面１４８、および底面１６０は、側面１４８から離れて配設される開口１７２を有するレシーバ１１１を形成し、そのため、電子デバイス５０は、開口１７２でレシーバ１１１内に挿入することができる。
【００２６】
上で議論したように、第１のマウント１１０とは別であり図８〜図１４で示される第２のマウント２１０は、コード保持クリップ１２０とはわずかに異なるサイズである、コード保持クリップ２２４を除いて、平面６２に関して、略鏡像である。
【００２７】
第１のマウント１１０と第２のマウント２１０が別であり、互いに別個であるので、第１のマウント１１０と第２のマウント２１０は、距離を変えることによって互いから離間して、マウント組立体１００により支持されるように意図される、いかなるサイズの電子デバイス５０も収容することができる。
【００２８】
マウント組立体１００を使用するために、第１の取外し可能な接着性ストリップ７０は、第１のマウント１１０の壁マウント表面１１４に貼られ、そのため、取外し可能な接着性ストリップ７０上のプルタブ７２は、底面１６０から離れて上向きに延在する。プルタブ７２は、垂直スロット１３４内に挿入される。電子デバイス５０は、開口１７２においてレシーバ１１１内に、電子デバイス５０の第１の下隅部５２を摺動させることにより、第１のマウント１１０内に挿入される。
【００２９】
第２のマウント２１０に関して、第２の取外し可能な接着性ストリップ７０についてプロセスが繰り返され、開口２７２においてレシーバ２１１内に、電子デバイス５０の第２の下隅部５４が摺動して入れられる。取外し可能な接着性ストリップ７０のそれぞれの裏のストリップ（図示せず）が除去されて、各取外し可能な接着性ストリップ７０の壁側に接着剤を露出する。電子デバイス５０を取り付けるための所望の場所が壁６０上で選択され、第１のマウント１１０および第２のマウント２１０が壁６０に対して押圧され、そのため、取外し可能な接着性ストリップ７０がそれぞれの第１のマウント１１０および第２のマウント２１０を壁６０に固定し、そのことにより電子デバイス５０を壁６０上に取り付ける。第１のマウント１１０および第２のマウント２１０が壁６０上に取り付けられるとき、第１のマウントレシーバ１１１内の開口１７２は、第２のマウントレシーバ２１１内の開口２７２の近傍である。
【００３０】
壁６０からマウント組立体１００を取り外すために、電子デバイス５０がマウント組立体１００から取り外される。第１のマウント１１０内のプルタブ７２は、薄い物体、例えば、ペーパークリップ（図示せず）の端部などを、背面１１２の上部１３２とプルタブ７２との間の垂直スロット１３４内に挿入し、次いで、ペーパークリップの端部を上向きにそっと引っ張り、垂直スロット１３４からプルタブ７２を摺動させて出すことにより、垂直スロット１３４から取り外される。プルタブ７２が一度垂直スロット１３４から取り外されると、プルタブ７２は、上向きに引っ張られ、取外し可能な接着性ストリップ７０が壁６０から第１のマウント１１０を剥離する点に、取外し可能な接着性ストリップ７０を伸ばすことができる。プロセスは、第２のマウント２１０について繰り返される。
【００３１】
本発明にしたがうマウント用組立体３００の第２の実施形態が、図１６〜図２４に示される。特に図２４を参照すると、マウント組立体３００は、マウント組立体３００が壁６０に取り付けられるときに、電子デバイス５０の第１の下隅部５２をレシーバ３１１内に支持するために使用される第１のマウント３１０、および電子デバイス５０の第２の下隅部５４をレシーバ４１１内に支持するために使用される第２のマウント４１０を含む。
【００３２】
多くの態様で、第１のマウント３１０および第２のマウント４１０は、マウント組立体１００が壁６０に取り付けられたとき、壁６０に垂直な平面６２に関して互いに鏡像である。したがって、説明を簡単にするために、第２のマウント４１０の要素の鏡像である第１のマウント３１０の要素は、「３」で始まる３桁の数字で識別され、一方、第２のマウント４１０の要素は、「４」で始まる３桁の数字で識別され、それぞれの対応する要素の下２桁は同一である。例えば、第１のマウント３１０内の要素３１２は、第２のマウント３１０内の要素３１２の鏡像である。
【００３３】
図１６〜図１９を参照すると、第１のマウント３１０は、後方壁マウント表面３１４および前側表面３１６を有する略平面の細長い背面３１２を含む。背面３１２は、例えば３Ｍ  Ｃｏｍｍａｎｄ（登録商標）ストリップなどの取外し可能な接着性ストリップ７０が壁マウント表面３１４に取外し可能に装着されることを可能にするようにサイズ決定され、そのため、マウント組立体３００が壁６０に取り付けられ、電子デバイス５０がマウント組立体３００内に取り付けられるとき、取外し可能な接着性ストリップ７０は見えない。
【００３４】
コード保持クリップ３２０が背面３１２から延在する。コード保持クリップ３２０は、略背面３１２の幅で延在する、略弓形フィンガ様に形状を定められ、電子デバイス５０にＡＣ電力を提供するための電源コード（図示せず）が、開口３２２内に受け入れられ、コード保持クリップ３２０により保持されることを可能にするようにサイズ決定される開口３２２を含む。コード保持クリップ３２０は、第１のマウント３１０の前に向かうより広い開口および第１のマウント３１０の後に向かうより狭い開口を有し、そのため、電源コードがコード保持クリップ３２０内に挿入され、第１のマウント３１０の後に向かって押されると、コートをわずかに締め付けることができ、このことによって、コードがコード保持クリップ３２０により保持され、床に落ちない結果になる。
【００３５】
コード保持用クリップ３２０は、開口３２２の下に形成される空洞３３０をさらに備える。空洞３３０は、第１のマウント３１０の後に向いている開口３３２を含む。空洞３３０は、取外し可能な接着性ストリップ７０上のプルタブ７２が、開口３３２で空洞３３０内に挿入されることを可能にするようにサイズ決定され、そのため、図２４に示される、マウント組立体３００および電子デバイス５０を見るとき、プルタブ７２は、見ることができない。
【００３６】
図１６〜図１９に戻って参照すると、第１のマウント３１０は、背面３１２に略平行に延在する、略平面の前面３４０をさらに含む。前面３４０は、電子デバイス５０を保持し、電子デバイス５０がマウント組立体３００から前方に落ちるのを防止する。前面３４０は、背面３１２から十分な距離離間され、異なるサイズおよび厚さの電子デバイスを第１のマウント３１０内に挿入することを可能にするが、電子デバイス５０が第１のマウント３１０に取り付けられたときに、電子デバイス５０が「動き回る（ｆｌｏｐｐｉｎｇ  ａｒｏｕｎｄ）」ことを防止するため、背面３１２に十分近い。
【００３７】
側面３４８が背面３１２と前面３４０との間に延在する。側面３４８は、空洞３３０の側部をカバーし、そのため、プルタブ７２は、全体的に、第１のマウント３１０の側部から見ることができない。
【００３８】
底面３６０が背面３１２と前面３４０との間に延在する。底面３６０は、電子デバイス５０がマウント３１０内に挿入されると、電子デバイス５０と係合して支持する。
【００３９】
背面３１２、前面３４０、側面３４８、および底面３６０は、側面３４８から離れて配設される開口３７２を有するレシーバ３１１を形成し、そのため、電子デバイス５０は、開口３７２でレシーバ３１１内に挿入することができる。
【００４０】
上で議論したように、第１のマウント３１０とは別であり図２０〜図２３で示される第２のマウント４１０は、以下の例外を有するが、平面６２に関して、第１のマウント３１０の略鏡像である。第１のマウント３１０は、背面３１２の頂部から外に延在する延長腕３８０を含む。後の空間３１２から遠位の延長腕３８０の端部は、前面３４０に略平行であり、前面３４０と同一平面で延在する保持腕３８２を含む。延長腕３８０が十分に長く、そのため、電子デバイス５０を、保持腕３８２と背面３１２との間に保持することができる。場合によって、図示していないが、第２のマウント４１０が、延長腕３８０および保持腕３８２の鏡像である延長腕および保持腕を含むこともできる。
【００４１】
第１のマウント３１０と第２のマウント４１０が別であり、互いに別個であるので、第１のマウント３１０と第２のマウント４１０は、距離を変えることによって互いから離間して、マウント組立体３００により支持されるように意図される、いかなるサイズの電子デバイス５０も収容することができる。
【００４２】
マウント組立体３００を使用するために、第１の取外し可能な接着性ストリップ７０は、第１のマウント３１０の壁マウント表面３１４に貼られ、そのため、取外し可能な接着性ストリップ７０上のプルタブ７２は、底面３６０から離れて下方に延在する。プルタブ７２は、空洞３３０内に挿入される。電子デバイス５０は、開口３７２において、レシーバ３１１内に、電子デバイス５０の第１の下隅部５２を摺動させることにより、第１のマウント３１０内に挿入される。
【００４３】
第２のマウント４１０に関して、第２の取外し可能な接着性ストリップ７０についてプロセスが繰り返され、開口４７２においてレシーバ４１１内に、電子デバイス５０の第２の下隅部５４が摺動して入れられる。取外し可能な接着性ストリップ７０のそれぞれの裏のストリップ（図示せず）が取り外されて、各取外し可能な接着性ストリップ７０の壁側に接着剤を露出する。場所が壁６０上で選択され、第１のマウント３１０および第２のマウント４１０が壁６０に対して押圧され、そのため、取外し可能な接着性ストリップ７０がそれぞれの第１のマウント３１０および第２のマウント４１０を壁６０に固定し、そのことにより電子デバイス５０を壁６０上に取り付ける。
【００４４】
壁６０からマウント組立体３００を取り外すために、電子デバイス５０がマウント組立体３００から取り外される。第１のマウント３１０内のプルタブ７２は、薄い物体、例えば、ペーパークリップ（図示せず）の端部などを、コード保持用クリップ３２０とプルタブ７２との間の空洞３３０内に挿入し、次いで、ペーパークリップの端部を下方にそっと引っ張り、空洞３３０からプルタブ７２を摺動させて出すことにより、空洞３３０から取り外される。プルタブ７２が一度空洞３３０から取り外されると、プルタブ７２は、下方に引っ張られ、取外し可能な接着性ストリップ７０が壁６０から第１のマウント３１０を剥離する点に、取外し可能な接着性ストリップ７０を伸ばすことができる。プロセスは、第２のマウント４１０について繰り返される。
【００４５】
上に記載された本発明のマウント組立体は、ＡＢＳプラスチックまたは他の好適な材料から、知られている射出成形の手順を使用することなどによって、製造することができる。
【００４６】
実施形態の広い発明概念から逸脱することなく、上に記載した実施形態に対して、変更が可能であることが、当業者には了解されよう。したがって、本発明は、開示された特定の実施形態に限定されず、添付の特許請求の範囲により規定されるような本発明の趣旨および範囲内の修正形態をカバーすることが意図されることが理解される。
【図１】
2015507249.tif 000003
【図２】
2015507249.tif 000004
【図３】
2015507249.tif 000005
【図４】
2015507249.tif 000006
【図５】
2015507249.tif 000007
【図６】
2015507249.tif 000008
【図７】
2015507249.tif 000009
【図８】
2015507249.tif 000010
【図９】
2015507249.tif 000011
【図１０】
2015507249.tif 000012
【図１１】
2015507249.tif 000013
【図１２】
2015507249.tif 000014
【図１３】
2015507249.tif 000015
【図１４】
2015507249.tif 000016
【図１５】
2015507249.tif 000017
【図１５Ａ】
2015507249.tif 000018
【図１５Ｂ】
2015507249.tif 000019
【図１６】
2015507249.tif 000020
【図１７】
2015507249.tif 000021
【図１８】
2015507249.tif 000022
【図１９】
2015507249.tif 000023
【図２０】
2015507249.tif 000024
【図２１】
2015507249.tif 000025
【図２２】
2015507249.tif 000026
【図２３】
2015507249.tif 000027
【図２４】
2015507249.tif 000028
【国際調査報告】
2015507249.tif 000029
2015507249.tif 000030
2015507249.tif 000031